(57)【要約】本発明は、液晶分子の配向方向を均一な状態で安定化し、表示切替時に前の表示状態が残るいわゆる残像現象、及び、表示ざらつきの発生を防止することができ、表示性能に優れるとともに、絵素の微細化にも対応できる液晶表示装置を提供する。本発明の液晶表示装置は、一対の基板と、該一対の基板間に封止された液晶層とを含む液晶表示装置であって、上記液晶層は、電圧無印加時に基板面に対して垂直方向に配向する液晶分子を含有し、上記一対の基板の少なくとも一方は、絵素電極、ゲートバスライン及びソースバスラインを有し、上記絵素電極は、スリットが設けられ、上記スリットは、屈曲し、その一部がゲートバスラインに沿っている液晶表示装置である。
2011045951.tif 000002
【特許請求の範囲】
【請求項１】
一対の基板と、該一対の基板間に封止された液晶層とを含む液晶表示装置であって、
該液晶層は、電圧無印加時に基板面に対して垂直方向に配向する液晶分子を含有し、
該一対の基板の少なくとも一方は、絵素電極、ゲートバスライン及びソースバスラインを有し、
該絵素電極は、スリットが設けられ、
該スリットは、屈曲し、その一部がゲートバスラインに沿っている
ことを特徴とする液晶表示装置。
【請求項２】
前記スリットは、長手部と該長手部の一端から異なる方向に延びる延長部とを有し、該延長部がゲートバスラインに沿っていることを特徴とする請求項１に記載の液晶表示装置。
【請求項３】
前記スリットは、ゲートバスラインに沿った一部が、絵素電極の外周端まで延びていることを特徴とする請求項１又は２に記載の液晶表示装置。
【発明の詳細な説明】
【技術分野】
【０００１】
本発明は、液晶表示装置に関する。より詳しくは、ＭＶＡ（Ｍｕｌｔｉ−ｄｏｍａｉｎ  Ｖｅｒｔｉｃａｌ  Ａｌｉｇｎｍｅｎｔ）モードの液晶表示装置に関するものである。
【背景技術】
【０００２】
液晶表示装置は、薄型で軽量、かつ、低消費電力といった特長を活かし、モニター、プロジェクタ、携帯電話、携帯情報端末（ＰＤＡ）等の電子機器に幅広く利用されている。【０００３】
液晶表示装置の表示方式はセル内で液晶をどのように配列させるかによって決定される。従来、液晶表示装置の表示方式としては、例えば、ＴＮ（Ｔｗｉｓｔｅｄ  Ｎｅｍａｔｉｃ）モード、ＶＡ（Ｖｅｒｔｉｃａｌ  Ａｌｉｇｎｍｅｎｔ）モード、ＩＰＳ（Ｉｎ−Ｐｌａｎｅ  Ｓｗｉｔｃｈｉｎｇ）モード、ＯＣＢ（Ｏｐｔｉｃａｌｌｙ  ｓｅｌｆ−Ｃｏｍｐｅｎｓａｔｅｄ  Ｂｉｒｅｆｒｉｎｇｅｎｃｅ）モード等が知られている。【０００４】
そして、このような表示方式を用いた液晶表示装置は大量に生産されている。そのなかでも、例えば、ＴＮモードの液晶表示装置は、広く一般的に用いられている。しかしながら、ＴＮモードの液晶表示装置は、応答速度、視野角等の点で改善の余地がある。【０００５】
一方、電圧無印加時に液晶が基板面に垂直に配向しており、電圧の印加で液晶を倒れ込ませることで表示を行うＶＡモードが知られている。ＶＡモードは、ＴＮモード、ＩＰＳモード及びＯＣＢモードの各モードに比べ高コントラストが得られるという特徴を有している。中でも、配向規制用手段として基板上に突起（リブ）や電極の抜き部（スリット）を設けたＭＶＡ液晶表示装置（以下、ＭＶＡ−ＬＣＤと略称する）がある。ＭＶＡモードは、このように基板上に設けた配向規制用手段によって液晶分子の配向方向を複数方向に分割させるものである。そして、ＭＶＡモードは、電圧印加時に液晶分子が倒れる方向を複数に分割することによって、広視野角を実現している。【０００６】
このようなＭＶＡモードの液晶表示装置としては、例えば、特許文献１には、突起とスリットとの間の画素電極のエッジ部に第２のスリットを形成し、第二基板上には第２のスリットに対応して第２の突起を形成した液晶表示装置が開示されている。これにより、画素電極のエッジ部や隣接する画素からの電界による液晶分子への影響を緩和することができるとされている。
【先行技術文献】
【特許文献】
【０００７】
【特許文献１】特開２００７−２６４６７３号公報
【発明の概要】
【発明が解決しようとする課題】
【０００８】
しかしながら、液晶表示パネル、特にモバイル機器用途等の高精細な中小型液晶表示パネルにおいては、突起とスリットの間の距離が短く、上述した液晶表示装置の構成を適用しようとすると、突起とスリットとの間に第２の突起及び／又は第２のスリットを形成することが寸法的に困難な場合があるという点で改善の余地があった。【０００９】
本発明は、上記現状に鑑みてなされたものであり、液晶分子の配向方向を均一な状態で安定化し、表示切替時に前の表示状態が残るいわゆる残像現象、及び、表示ざらつきの発生を防止することができ、表示性能に優れるとともに、絵素の微細化にも対応できる液晶表示装置を提供することを目的とするものである。
【課題を解決するための手段】
【００１０】
本発明者らは、表示性能に優れる液晶表示装置について種々検討したところ、電圧無印加時に基板面に対して垂直方向に配向する液晶分子を含有する液晶表示装置において、絵素電極外周端で、絵素電極エッジの電界の影響で液晶が所望の方向に配向し難く、当該配向の乱れによって、表示切替時に前の表示状態が残るいわゆる残像現象が発生したり、表示ざらつきが発生したりし、表示性能が劣化することに着目した。そして、中でもゲートバスライン沿い部分では、ゲート電界の影響も強く受けることになり、この領域において特に液晶分子の配向乱れが大きくなり、液晶表示装置の表示性能の劣化の主な原因となっていることを見いだした。そして、この箇所の設計変更を行うことにより液晶配向乱れを抑制することを検討し、その結果、絵素電極に設けられたスリットが、屈曲し、その一部がゲートバスラインに沿っている液晶表示装置とすることで、上記領域での液晶配向乱れを充分に抑制することができ、これによって残像現象及び表示ざらつきを防止することができることを見いだし、上記課題をみごとに解決することができることに想到し、本発明に到達したものである。【００１１】
すなわち、本発明は、一対の基板と、該一対の基板間に封止された液晶層とを含む液晶表示装置であって、上記液晶層は、電圧無印加時に基板面に対して垂直方向に配向する液晶分子を含有し、上記一対の基板の少なくとも一方は、絵素電極、ゲートバスライン及びソースバスラインを有し、上記絵素電極は、スリットが設けられ、上記スリットは、屈曲し、その一部がゲートバスラインに沿っている液晶表示装置である。
以下に本発明を詳述する。【００１２】
本発明の液晶表示装置は、以下の２点で上述した従来技術と相違する。
（１）スリット（絵素電極切欠部）の形状変更である。（２）スリットの一部は、ゲートバスラインに沿っている。
本発明の液晶表示装置は、このような構成にもとづいて、以下の効果を奏することができる。（１）ゲートバスライン沿い領域での液晶配向乱れを充分に抑制することができ、上述した残像現象及び表示ざらつきの発生を防止し、表示性能を優れたものとすることができる。（２）本発明の液晶表示装置においては、メインの突起とスリットとの間に該メインの突起及びスリットよりもそれぞれ幅が小さい第２の突起と第２のスリットを設けなくてもよく、その場合は、特に中小型液晶表示パネルにおいて、寸法的な問題がなく、容易に工業的な生産が可能である。【００１３】
上記「スリットの一部は、ゲートバスラインに沿っている」とは、絵素電極、ゲートバスライン及びソースバスラインを有する基板の基板法線方向から見たときに、スリットの長手方向の一部がゲートバスラインの長手方向と略平行であることをいう。例えば、両者の角度が、１５度以下であることが好ましい。より好ましくは、１０度以下であり、更に好ましくは、５度以下である。また、当該スリットの一部とゲートバスラインとの距離は、１０μｍ以下であることが好ましい。より好ましくは、８μｍ以下である。更に好ましくは、５μｍ以下である。なお、好適な下限値は、１μｍ以上である。【００１４】
なお、上記ゲートバスライン及びソースバスラインは、通常、アクティブマトリクス型の液晶表示装置の駆動に用いられる。なお、補助容量バスライン等のその他の信号配線を有するものであってもよい。
また、上記絵素電極は、通常、絵素ごとに設けられ、液晶層への電圧の印加に用いられる。上記絵素電極下にゲートバスライン及びソースバスラインが配置されている形態が好ましい。【００１５】
上記液晶層は、電圧無印加時に基板面に対して垂直方向に配向し、かつ電圧印加時に基板面に対して水平方向に配向する液晶分子を含有する態様が挙げられる。なお、基板面に対して垂直方向に配向するとは、本発明の効果が発揮されるものである限り、液晶分子が基板面に対して９０°で配向しなくてもよい。このような液晶層を用いる液晶表示装置の表示方法は、垂直配向（ＶＡ）モードと呼ばれる。なお、上記垂直方向とは、液晶表示パネルの技術分野において一般的に垂直配向（ＶＡ）モードとして評価される程度に実質的に略垂直なものであればよい。また、本発明の液晶表示装置は、基板上にスリットとともに配向規制用構造物として突起（リブ）を設けたＭＶＡ−ＬＣＤに特に好適に適用することができる。【００１６】
本発明の液晶表示装置の構成としては、このような構成要素を必須として形成されるものである限り、その他の構成要素により特に限定されるものではない。
本発明の液晶表示装置における好ましい形態について以下に詳しく説明する。【００１７】
本発明の液晶表示装置の好ましい形態としては、上記スリットは、長手部と該長手部の一端から異なる方向に延びる延長部とを有し、該延長部がゲートバスラインに沿っている形態が挙げられる。
なお、上記長手部は、その長手方向が、延長部の長手部よりも長いものである。
このような形態により、本発明の効果を更に充分に発揮することができる。【００１８】
図１に、本発明の液晶表示装置における上記スリットの長手部の幅（ｄ１）と上記スリットの延長部の幅（ｄ２）とを示す。
ｄ１は、上限値としては、例えば２０μｍ以下であることが好ましい。より好ましくは、１５μｍ以下であり、更に好ましくは、１０μｍ以下である。また下限値としては、例えば３μｍ以上であることが好ましい。
ｄ２、及び、スリット延長部の長さの好ましい範囲は、それぞれ上述したｄ１の好ましい範囲と同様である。なお、上記スリット延長部の長さは、図１におけるスリット延長部の下辺の長さをいう。
ｄ１、ｄ２及びスリット延長部の長さは、それぞれ同一であってもよく、異なっていてもよい。このように、本発明の液晶表示装置は、所望の表示品位を得るための設計が容易なものである。【００１９】
本発明の液晶表示装置の好ましい形態としては、上記スリットは、ゲートバスラインに沿った一部が、絵素電極の外周端まで延びている形態が挙げられる。
スリットの一部が「絵素電極の外周端まで延びている」とは、図１に示すように、スリットの一部が、絵素電極外周端に至るまで形成されていることをいう。
これにより、液晶の配向乱れを防止する効果が、特に優れたものとなる。【００２０】
また上記一対の基板において、上記絵素電極を有する基板に対向する基板（対向基板）の好ましい形態としては、共通電極、及び、対向基板の基板法線方向から見たときにスリットに平行に延びる突起を有する形態が挙げられる。【００２１】
なお、本発明の液晶表示装置は、ノーマリブラックモード（オフ状態での光透過率又は輝度が、オン状態でのそれらより低いモード）であってもよく、ノーマリホワイトモード（オフ状態での光透過率又は輝度が、オン状態でのそれらより高いモード）であってもよい。また、本発明の液晶表示装置は、反射型であってもよく、透過型であってもよく、半透過型であってもよい。
本発明の液晶表示装置は、絵素の微細化に充分対応することができることから、高精細な中小型の液晶表示装置に特に好適に適用することができる。
例えば、絵素の長手方向における絵素ピッチは、上限値が２００μｍ以下であることが好ましい。より好ましくは、１９０μｍ以下であり、更に好ましくは、１８０μｍ以下である。下限値としては、５０μｍ以上であることが好ましい。より好ましくは、１００μｍ以上である。また、絵素の短手方向における絵素ピッチは、上限値が８０μｍ以下であることが好ましい。より好ましくは、６０μｍ以下である。下限値としては、３０μｍ以上であることが好ましい。より好ましくは、４０μｍ以上である。
なお、絵素ピッチとは、絵素列における一つの絵素当たりの長さをいい、例えば、絵素の長手方向での絵素の長辺の中点間距離、又は、絵素の短手方向での絵素の短辺の中点間距離をいう。【００２２】
上述した各形態は、本発明の要旨を逸脱しない範囲において適宜組み合わされてもよい。
【発明の効果】
【００２３】
本発明の液晶表示装置によれば、液晶分子の配向方向が均一な状態で安定化し、表示切替時に前の表示状態が残るいわゆる残像現象及び表示ざらつきの発生を防止することができ、表示性能に優れるとともに、絵素の微細化にも対応することができる。
【図面の簡単な説明】
【００２４】
【図１】実施形態１に係る液晶表示装置の絵素を示す平面模式図である。
【図２】実施形態１に係る液晶表示装置の絵素を示す対向基板の平面模式図である。
【図３】実施形態１に係る液晶表示装置の断面図である。
【図４】実施形態１に係る液晶表示装置の変形例の絵素を示す部分拡大図である。
【図５】図１中の点線で囲んだ部分の液晶の配向状態を示す顕微鏡写真である。
【図６】従来の液晶表示装置の絵素を示す平面模式図である。
【図７】図６中の点線で囲んだ部分の液晶の配向状態を示す顕微鏡写真である。
【発明を実施するための形態】
【００２５】
以下に実施形態を掲げ、本発明を更に詳細に説明するが、本発明はこれらの実施形態に限定されるものではない。
【００２６】
本明細書においては、絵素電極を有する基板を、回路基板ともいう。上記基板側を、ＴＦＴ側ともいう。
絵素電極を有する基板（回路基板）に対向する基板を、対向基板ともいう。上記対向基板は、実施形態においてカラーフィルタ（ＣＦ）が配置される基板であることから、ＣＦ側基板ともいう。上記対向基板側を、ＣＦ側ともいう。
【００２７】
実施形態１
図１は、実施形態１に係る液晶表示装置の絵素を示す平面模式図である。
本実施形態の構成としては、回路基板（背面側基板）と、それに対向するように設けられた対向基板（観察面側基板）と、回路基板と対向基板との間に狭持されるように設けられた液晶層とを備える。
【００２８】
図１に示されるように、スリット８ａ、８ｂは、直線状の電極切欠部であり、回路基板の基板法線方向から見たときに対向基板に形成された突起１０に沿っている直線状の部分（長手部）と、該部分の一端から異なる方向に延びる直線状の部分（延長部）とを有する。スリット８ａ、８ｂの延長部は、絵素電極外周部のうち配向制御用突起物のない領域における、ゲートバスラインに近い部分で、ゲートバスライン２ａ、２ｂに平行に、ソースバスライン４ａ、４ｂに垂直な方向に形成されている。すなわち、ゲートバスラインの長手方向と、スリット延長部の長手方向との角度は、０度である。スリット８ａ、８ｂの延長部の長手方向は、メインの突起１０の長手方向とは異なる方向であり、かつスリット８ａ、８ｂの長手部の長手方向とは異なる方向である。また、図示していないが、該スリット８ａ、８ｂの延長部は、絵素電極外周端に至るまで形成されている。
また上記スリット８ａ、８ｂは、回路基板の基板法線方向から見たときに、ゲートバスラインとは重ならないように配置されている。ゲートバスラインとスリット８ａ、８ｂの延長部との距離は、５μｍである。また、長手部のスリット幅ｄ１と延長部のスリット幅ｄ２とは同一であってもよく、異なっていてもよい。図１においては、ｄ１は９μｍであり、ｄ２は９μｍである。また、スリット延長部の長手方向の長さ（スリット延長部の下辺の長さ）は、９μｍである。また、回路基板の基板法線方向から見たときに、スリットの長手部と突起との間に、スリット幅のより小さなスリット及び突起幅のより小さな突起、並びに、スリットの長手部に沿っていない補助突起物を設けない形態である。これにより、装置製造時における寸法的な困難を解消して本発明の効果を更に充分に発揮することができる。例えば、上述した従来技術における液晶表示装置では、対向基板側に形成するメインの突起物と回路基板側に形成するメインのスリットの間に第２の突起とスリットを形成するため、突起及びスリットのピッチは、通常メインの突起とスリットだけの場合の半分程度になる。このため、対向基板側の突起と回路基板側のスリットを狭ピッチで対応させる必要があるために基板の貼り合わせの際には位置関係をより厳密に制御することになる。
これと比較して、本実施形態では回路基板側の絵素電極に形成するスリットの形状の変更のみのため、対向基板との貼り合せ精度については特に厳しく制御しなくてもよい。よって、特に高精細な中小型液晶に対応しやすいものである。
【００２９】
実施形態１の液晶表示装置は、対向基板に突起物が設けられている。図１に示すように、回路基板の基板法線方向から見たときに、突起物とスリットとが交互に配置された領域を含むものである。
【００３０】
図２は、実施形態１に係る液晶表示装置の絵素を示す対向基板の平面模式図である。
実施形態１の液晶表示装置は、図２に示すように、対向基板側にカラーフィルタ２２Ｒ、２２Ｇ、２２Ｂとブラックマトリクス２１と配向制御用突起物１０とを有する。
なお、実施形態１の液晶表示装置の絵素ピッチは、図１、２に示した横方向の長さが５４．５μｍ、縦方向の長さが１６３．５μｍである。
図３は、実施形態１に係る液晶表示装置の断面図である。
図３に示すように、対向基板側においては、ガラス基板２３上にカラーフィルタ２２Ｒ、２２Ｇ、２２Ｂとブラックマトリクス２１とを有し、その上に対向電極２４を有し、液晶の配向制御用突起物１０を有している。液晶の配向制御用突起物１０上に、配向膜２５を有していてもよい。
【００３１】
回路基板は、ガラス基板３１上の絶縁層３２の上に絵素電極３６を有し、絵素電極３６には、液晶の配向を電圧無印加時に基板面に対して垂直方向に制御する（ｐ制御）ためのスリット８（開口部）が設けられている。その上に、配向膜３５を有していてもよい。
また、回路基板と対向基板の液晶層の反対側（外側）に、それぞれ偏光板が配置されている。
なお、図面には記載していないが、回路基板は、スイッチング素子である薄膜トランジスタ（ＴＦＴ）が形成されたものであり、薄膜トランジスタに電気的に接続する電極及び補助容量配線等を有する。また、絵素電極は、透過領域の部分が透明導電材料である酸化インジウム錫（ＩＴＯ）により形成されている。
【００３２】
カラーフィルタは、赤色（Ｒ）、緑色（Ｇ）及び青色（Ｂ）の層がそれぞれ、回路基板側の絵素電極３６にそれぞれ対応するように配置されている。対向電極側は、絵素ごとではなく、複数の絵素に対応する１つの電極（共通電極）として形成されている。対向電極２４は、ＩＴＯにより形成されている。
【００３３】
対向基板側のガラス基板２３の観察面側、及び、回路基板側のガラス基板３１の背面側には、偏光板２０、３０がそれぞれ貼付されている。なお、本実施形態では、透過型液晶表示装置の例を取り上げたが、パネルの外側に配置される偏光板は直線偏光タイプであってもよく、円偏光タイプであってもよい。
【００３４】
実施形態１の液晶表示装置の表示モードは、ＭＶＡモードであり、液晶層は、負の誘電率異方性を持つネマチック液晶から構成される。また、絵素内が基板上に設けられた線状突起及びスリットにより分割されている。液晶層中の液晶分子５０は、電圧が印加されていない状態（オフ状態）では、略垂直方向に配向し、電圧が印加された状態（オン状態）で当該線状突起及びスリットによって分割された複数の方位で水平方向に向かって倒れ込む。これにより、広視野角を達成することが可能である。
【００３５】
図４は、実施形態１に係る液晶表示装置の変形例の絵素を示す部分拡大図である。
実施形態１の変形例としては、図４に示すように、ゲートバスラインの長手方向と平行になるように屈曲させたスリット８ｃの先端が絵素電極エッジまで達していない形態であってもよい。なお、それ以外の構成は実施形態１と同様である。
これにより、液晶の配向乱れを防止する一定の効果が得られるとともに、絵素電極のブリッジとして残す必要がある場合等、スリット先端を絵素電極エッジまで形成できない場合に絵素設計上の要求を満たすことができる。
ただし、図１に示したように、スリットを電極エッジまで形成したほうが、液晶の配向乱れを防止する効果はより大きくなる。
【００３６】
実施形態１に係る液晶表示装置と従来の液晶表示装置とで、絵素のゲートバスライン付近部分を拡大した顕微鏡写真を比較する。
図５は、図１中の点線で囲んだ部分の液晶の配向状態を示す顕微鏡写真である。
図６は、従来の液晶表示装置の絵素を示す平面模式図である。
図７は、図６中の点線で囲んだ部分の液晶の配向状態を示す顕微鏡写真である。
【００３７】
図５及び図７に示した顕微鏡写真は、白表示状態の隣り合う２つの絵素を顕微鏡下で偏光板をクロスニコル状態にして透過光にて観察したものである。
実施形態１に係る液晶表示装置の絵素を示す図１及び従来の液晶表示装置の絵素を示す図６を使って以下に説明する。
図１及び図６の点線で囲んだ部分は、液晶パネルの１つの絵素のゲートバスライン付近部分である。図５及び図７の点線で囲んだ部分は、隣り合う２つの絵素の当該部分である（なお、左側が赤の絵素で右側が緑の絵素である）。
図５及び図７の左側（赤）と右側（緑）とで点線の円で囲んでいる部分を見ると、黒線が存在する。
【００３８】
この黒線は、偏光板の軸方向と液晶分子の配向方向との関係にもとづいて形状が変化する。従来の液晶表示装置を示す図７においては、隣り合う絵素においてゲートバスライン沿いの部分で液晶分子の配向方向（状態）が異なることが示されている。それに対して、実施形態１の液晶表示装置を示す図５においては、左側（赤）の絵素と右側（緑）の絵素とで黒線の形が同じであり、液晶分子の配向方向（状態）が均一であることを示している。
なお、偏光板の軸方向は一定で観察している。また、明るい部分の中央に４５度方向に延びる黒い部分はスリット部分であり、液晶が垂直に配向したままの状態であるため、黒く見える。
【００３９】
実施形態１に係る液晶表示装置と従来の液晶表示装置とを用いて表示残像の発生度合いを確認した。結果を以下に記載する。
（１）実験内容
黒表示を背景として縦横に白表示でラインを表示した後、全画面を白表示した際の残像発生状況を目視確認した。
（２）結果
下表に示すように従来の液晶表示装置では、白側電圧が高くなるにつれて残像が消失するまでの時間が長くなっているが、実施形態１に係る液晶表示装置では、電圧が高くなっても残像は発生していない。下記表中、秒数（ｓ）は、残像が消えるまでの時間を表す。「なし」は、残像の発生がなかったことを表す。
【００４０】
【表１】
2011045951.tif 000003
【００４１】
以上の結果より、ゲートバスライン沿い領域における液晶の配向方向が均一な状態で安定することで、表示切替時の残像現象を抑制することができたことが示されている。
また、本実施形態の液晶表示装置においては、回路基板の基板法線方向から見たときに、スリットの長手部と突起との間に、突起幅のより小さな突起、並びに、スリットの長手部に沿っていない補助突起物を設けていないため、開口率を高めることができる。
【００４２】
上述した実施形態における各形態は、本発明の要旨を逸脱しない範囲において適宜組み合わされてもよい。
【００４３】
なお、本願は、２００９年１０月１６日に出願された日本国特許出願２００９−２３９７１７号を基礎として、パリ条約ないし移行する国における法規に基づく優先権を主張するものである。該出願の内容は、その全体が本願中に参照として組み込まれている。
【符号の説明】
【００４４】
２ａ，２ｂ，１２ａ，１２ｂ：ゲートバスライン
４ａ，４ｂ，１４ａ，１４ｂ：ソースバスライン
６ａ，６ｂ，１６ａ，１６ｂ，３６：絵素電極
８，８ａ，８ｂ，８ｃ：スリット
１０：配向制御用突起物
２０，３０：偏向板
２１：ブラックマトリックス  
２２：カラーフィルタ
２２Ｒ：赤色カラーフィルタ
２２Ｇ：緑色カラーフィルタ
２２Ｂ：青色カラーフィルタ
２３，３１：ガラス基板
２４：対向電極
２５，３５：配向膜
３２：絶縁層
ｄ１：スリットの長手部の幅
ｄ２：スリットの延長部の幅
【図１】
2011045951.tif 000004
【図２】
2011045951.tif 000005
【図３】
2011045951.tif 000006
【図４】
2011045951.tif 000007
【図５】
2011045951.tif 000008
【図６】
2011045951.tif 000009
【図７】
2011045951.tif 000010
【手続補正書】
【提出日】平成24年3月21日(2012.3.21)
【手続補正１】
【補正対象書類名】特許請求の範囲
【補正対象項目名】全文
【補正方法】変更
【補正の内容】
【特許請求の範囲】
【請求項１】
一対の基板と、該一対の基板間に封止された液晶層とを含む液晶表示装置であって、
該液晶層は、電圧無印加時に基板面に対して垂直方向に配向する液晶分子を含有し、
該一対の基板の少なくとも一方は、絵素電極、ゲートバスライン及びソースバスラインを有し、
該絵素電極は、スリットが設けられ、
該スリットは、長手部と該長手部のゲートバスラインにより近い一端から異なる方向に延びる延長部とを有し、該延長部がゲートバスラインに沿っており、
該一対の基板における、該絵素電極を有する基板に対向する基板は、共通電極、及び、対向基板の基板法線方向から見たときにスリットの長手部に平行に延びる突起を有する
ことを特徴とする液晶表示装置。
【請求項２】
前記スリットは、ゲートバスラインに沿った延長部が、絵素電極の外周端まで延びていることを特徴とする請求項１に記載の液晶表示装置。
【国際調査報告】
2011045951.tif 000011
2011045951.tif 000012